(57)【要約】  排泄物を吸収することを意図された要素と、例えば肌着上に固定される際に、物品が移動することを防ぐための機械的ファスナーとして機能する茎部を備えるウェブと、を備える吸収性物品が開示される。茎部を備えるウェブは、ベースストリップと該ベースストリップから突出しその一部を形成する少なくとも１つの茎部と、を含み、該茎部は、直線軸と該直線軸に直交する断面であって、茎部のベースから頂部まで一定であるか又は減少する断面と、を有し、その直線軸に沿って測定される高さと、ベースストリップによって確定される平面に対して平行に測定される最大寸法に対応する幅と、を有し、該幅は、０．０５ｍｍ以上０．２５０ｍｍ以下に含まれ、高さの幅に対する比（Ｈ／Ｗ）は、２を超える。
2010533026.tif 000002
【特許請求の範囲】
【請求項１】
排泄物を吸収することを意図された要素と、茎部を備えるウェブと、を含む使い捨て吸収性物品であって、
前記茎部を備えるウェブは、ベースストリップと、前記ベースストリップから突出しその一部を形成する少なくとも１つの茎部と、を含み、
前記少なくとも１つの茎部は、直線軸と、前記直線軸に直交する断面であって、茎部のベースから頂部まで一定であるか又は減少する断面と、を有し、
少なくとも１つの茎部が、直線軸に沿って測定される高さと、ベースストリップによって画定される平面に対して平行に測定される最大寸法に相当する幅と、を有し、前記幅は０．０５ｍｍ以上０．２５０ｍｍ以下に含まれ、高さの幅に対する比（Ｈ／Ｗ）は２を超えることを、前記茎部を備えるウェブが特徴とする、使い捨て吸収性物品。
【請求項２】
前記少なくとも１つの茎部が、前記ストリップと同じ材料から作られる、請求項１に記載の物品。
【請求項３】
前記少なくとも１つの茎部の頂部が円錐形である、請求項１又は２に記載の物品。
【請求項４】
前記少なくとも１つの茎部の高さが、０．３ｍｍ以上０．８ｍｍ以下であり、好ましくは０．４ｍｍ以上０．６ｍｍ以下である、請求項１〜３のいずれか一項に記載の物品。
【請求項５】
前記少なくとも１つの茎部の幅が、好ましくは０．０５ｍｍ以上０．２５０ｍｍ以下であり、好ましくは０．１５ｍｍ以上０．２３ｍｍ以下である、請求項１〜４のいずれか一項に記載の物品。
【請求項６】
前記ベースストリップが、前記少なくとも１つの茎部の軸に沿って測定される０．１ｍｍ未満の厚さを有する、請求項１〜５のいずれか一項に記載の物品。
【請求項７】
前記少なくとも１つの茎部が、１つの第１の円錐形下部及び少なくとも１つの第２の円錐形上部を含み、
前記第２の円錐形上部が特に円錐形先端部であって、その円錐度（上半角によって画定される）は、第１の部分の円錐度より大きく、具体的には３°以上２０°以下である、請求項１〜６のいずれか一項に記載の物品。
【請求項８】
前記少なくとも１つの茎部が、１つの第１の直線状円筒形下部及び少なくとも１つの第２の円錐形上部を含み、
前記第２の円錐形上部は特に円錐形先端部であって、その円錐度（上半角によって画定される）は、３°以上２０°以下である、請求項１〜７のいずれか一項に記載の物品。
【請求項９】
前記少なくとも１つの茎部が、ドーム形状、特に球形の自由端を有し、特に、０．０２５ｍｍ以上０．０８０ｍｍ以下、特に０．０３３以上０．０５４ｍｍ以下の曲率半径を有する、請求項１〜８のいずれか一項に記載の物品。
【請求項１０】
前記少なくとも１つの茎部の前記軸が、前記ストリップの平面に対して７０°以上１１０°以下に含まれる角度で傾斜する、請求項１〜９のいずれか一項に記載の物品。
【請求項１１】
前記少なくとも１つの茎部の外表面の少なくとも一部分が、ＩＳＯ規格（皺のＲａ又は平均偏差、即ち、基準長さの輪郭における全Ｙ座標の算術平均）に準拠して測定されると４００ｎｍ未満である皺を含む、請求項１〜１０のいずれか一項に記載の物品。
【請求項１２】
前記少なくとも１つの茎部の外表面の少なくとも一部分が、４５０ｎｍ未満の統計的な皺（Ｒｍｓ）を有する、請求項１〜１１のいずれか一項に記載の物品。
【発明の詳細な説明】
【技術分野】
【０００１】
本発明は、特に、生理用ナプキン、パンティライナー、おむつ、失禁用製品などの個人衛生用吸収性物品に関し、この吸収性物品は、物品を着用者の衣類に固定するための改善された衣類締着装置を備える。本発明は、一旦、衣類に適用すると、所定の場所に留まる傾向が大幅に改善されるように、使用中に移動する傾向が低減された物品を提供する。更には、本発明の物品は、改善された衣類締着装置のために、物品の適用中、取り外し中、及び使用中に衣類に損傷がもたらされないようにするために、様々な衣類及び布地で使用するのに安全である。
【背景技術】
【０００２】
例えば、生理用ナプキン及びパンティライナーのような衛生吸収性物品は、液体透過性トップシート、液体不透過性バックシート、及び該トップシートとバックシートとの間に配置される吸収性コアによって形成されることが多い。バックシートは通常、使い捨て吸収性物品をユーザーの下着に固定するための感圧性接着剤（ＰＳＡ）を含む領域を提供する。
【０００３】
特に、ホットメルト及びエマルション系接着剤の使用は、一般的な技術標準である。衣類固定のために、吸収性物品のバックシート上にエマルション系接着剤を適用することは、例えば、ＳＥ−Ａ−３７４，４８９から既知である。この目的のためにホットメルト接着剤を使用することは、例えば、欧州特許出願第Ａ１４０，１３５号又はＰＣＴ国際公開特許ＷＯ  ００／６１０５４号に記載されている。
【０００４】
これらの物品のユーザーは、一般的には、接着剤を剥離し（パッケージから物品を解くこと、及び／又は接着剤剥離シートを取り外すことによって）、パンティー上の正しい位置に物品を適用する。ＰＳＡは、様々な接着強度で提供されることが可能であるが、一般的には、物品の取り外しにおいてパンティーが損傷しないようにするため、並びに、接着剤の残留物が残らないようにするため、パンティー上には、接着力の弱いＰＳＡが使用される。これは、特に、例えば、スポーツセッションなど、それらを着用する人間がたくさん動く場合に、使用中の吸収性物品が所定の場所に完全に留まらないかもしれないという副作用を有する。いくつかの場合において、吸収性物品は、目的とする位置から移動してしまい、それ故、保護効果が減少し、パンティー又は肌着を汚す可能性がある。この問題を制限するために、機械的ファスナーと従来のＰＳＡとを組み合わせることが提案されてきた。
【０００５】
この用途における機械的ファスナーは、例えば、感圧性接着剤テープファスナーが記載されているスリーエム社（３Ｍ）による米国特許第４９５９２６５号に記載されており、その裏材は、先端が丸い茎部の配列を有し、その茎部は感圧性接着剤を越えて隆起している。その茎部は、織布又は他の有孔基材を貫通することができるため、従来のＰＳＡよりも移動に対して高い抵抗力を提供することができる。
【０００６】
しかしながら、米国特許第４９５９２６５号に記載されるファスナーは、衣類における把持性及び安全性の点から、未だに完全に満足のいくものではない。実際には、茎部は極めて短く、それらの表面の皺が制御されていない。
【先行技術文献】
【特許文献】
【０００７】
【特許文献１】ＳＥ−Ａ−３７４，４８９
【特許文献２】欧州特許出願第Ａ１４０，１３５号
【特許文献３】ＰＣＴ国際公開特許ＷＯ  ００／６１０５４号
【特許文献４】米国特許第４９５９２６５号
【発明の概要】
【発明が解決しようとする課題】
【０００８】
したがって、衣類上の所定の位置によりよく留まり、より安全性が高い、改善された締結手段が組み込まれた、改善された吸収性物品が必要とされている。
【課題を解決するための手段】
【０００９】
本発明の使い捨て吸収性物品は、排泄物を吸収することを意図された要素と、茎部を備えるウェブと、を含み、該茎部を備えるウェブは、ベースストリップ及び該ベースストリップから突出してその一部を形成する少なくとも１つの茎部と、を含み、該少なくとも１つの茎部は、直線軸と、該直線軸に直交する断面であって、茎部のベースから頂部まで一定であるか又は減少する断面と、を有し、少なくとも１つの茎部が、直線軸に沿って測定される高さと、ベースストリップによって画定される平面に対して平行に測定される最大寸法に相当する幅と、を有し、該幅は０．０５ｍｍ以上０．２５０ｍｍ以下に含まれ、高さの幅に対する比（Ｈ／Ｗ）は、２を超えることを、前記茎部を備えるウェブが特徴とする。
【図面の簡単な説明】
【００１０】
【図１】本発明による物品に使用される茎部を備えるウェブの側面図。
【図２】図１の線Ａ−Ａに沿った断面図。
【図３】茎部を備えるウェブを作製する製造装置の全体図。
【図４】図３の装置の成型ローラー。
【図５Ａ】本発明による吸収性物品の代表的な実施形態。
【図５Ｂ】本発明による吸収性物品の代表的な実施形態。
【図５Ｃ】本発明による吸収性物品の代表的な実施形態。
【図５Ｄ】本発明による吸収性物品の代表的な実施形態。
【図５Ｅ】本発明による吸収性物品の代表的な実施形態。
【図５Ｆ】本発明による吸収性物品の代表的な実施形態。
【発明を実施するための形態】
【００１１】
本明細書で使用するとき、「吸収性物品」という用語は、流体及び／又は滲出物、とりわけ体液／排泄物を受けること及び／又は吸収すること及び／又は収容すること及び／又は保持することのできる、あらゆる物品を包含する非常に広い意味で用いられる。本発明で言及される吸収性物品は、典型的には、着用者に面する表面としての流体透過性トップシートと、典型的には水蒸気及び／又は気体透過性である衣類に面する表面としての流体不透過性バックシートと、それらの間に含まれる吸収性コアとを含む。更にその上、本発明に関連する吸収性物品は、ユーザーの衣類にそれらを貼り付けるための手段、特に接着剤が設けられている。本発明に関する吸収性物品は、使い捨て吸収性物品である。本発明による典型的な使い捨て吸収性物品は、例えば乳幼児のおむつのような乳幼児ケア物品；失禁パッド、及び腋窩汗パッド又はハットバンドのような発汗パッドなどの個人衛生用吸収性物品である。典型的な使い捨て吸収性物品は、生理用ナプキン及びパンティライナーのような婦人衛生用吸収性物品、並びに失禁パッドである。
【００１２】
本明細書では、「排泄物」又は「体液」は、人体によって生成されたあらゆる流体を意味し、例えば、汗、尿、血液、月経液、膣の分泌物などを包含する。
【００１３】
本明細書で使用するとき、用語「使い捨て」は、洗濯、又は別の方法で物品として復元若しくは再利用することを目的としない物品（即ち、それらは１回使用後に廃棄されることを目的とし、従来よりリサイクルされるか、堆肥化されるか、又は環境に適した方式で処理されることを目的とする）を記述するために使用される。
【００１４】
用語「使用」は、本明細書で使用するとき、吸収性物品が実際に生体構造に接触して置かれるとき又はユーザーの衣料内に置かれるときに始まり、処分のために吸収性物品を除去するまで続く期間を指す。
【００１５】
本明細書で使用するとき、用語「茎部」は、細長い突出部を指す。それぞれの茎部は、直線状の長手方向軸、及び該長手方向軸に直交する断面を有し、該断面は、茎部のベースから頂部まで一定であるか又は減少する。布地を貫通することが可能ではあるが糸を把持するフックで終わる突出部であって、ベルクロ（Velcro）（登録商標）に使用されるような「フック」とは対照的に、茎部は、糸の間から糸を把持することなく布地を貫通することが可能である。
【００１６】
本明細書で使用するとき、用語「錐形（円錐形）」は、形状の軸に対して直交する断面に沿って測定した断面が頂部に向かって減少する形状を指す。
【００１７】
本発明は、排泄物を吸収することを意図された要素と、微細な茎部を備えるウェブと、を含み、布地を損傷することなく、布地に特に効率的な滑り止め機能をもたらすために使用することができる使い捨て吸収性物品を提案することで、従来技術における欠点を克服することを目的とする。このような茎部を備えるウェブは、本明細書で記載される方法及び装置によって得ることができる。
【００１８】
本発明の使い捨て吸収性物品は、排泄物を吸収することを意図された要素と、茎部を備えるウェブと、を含み、該茎部を備えるウェブは、ベースストリップ及び該ベースストリップから突出してその一部を形成する少なくとも１つの茎部を含み、該茎部は、直線軸（直線状の軸線）及び該直線軸に直交する断面であって、茎部のベース（底部、基端部）から頂部まで一定であるか又は減少する断面と、を有し、該茎部は、その直線軸に沿って測定される高さと、物品の平面に対して平行に測定される最大寸法に相当する幅と、を有し、該幅は、０．０５ｍｍ以上０．２５０ｍｍ以下に含まれ、高さの幅に対する比（Ｈ／Ｗ）は、２を超えるか、他の実施形態では３を超える。
【００１９】
いくつかの実施形態では、茎部は、ストリップと同じ材料であり、及びストリップと一体化されていてもよい。特定の実施形態では、ウェブは、熱可塑性材料から作られている。
【００２０】
１つの実施形態では、ウェブは、少なくとも１つの茎部を含むリボンの形態をとってもよい。リボンは、少なくとも１つの茎部がバックシート表面から突出するように、任意の既知の手段によって、使い捨て吸収性物品のバックシート上に取り付けられる。
【００２１】
本発明の発展によると、少なくとも１つの茎部の高さは、０．３ｍｍ以上０．８ｍｍ以下、又は０．４ｍｍ以上０．６ｍｍ以下であってもよい。少なくとも１つの茎部の幅は、０．０５ｍｍ以上０．２５０ｍｍ以下、又は０．１５ｍｍ以上０．２３ｍｍ以下であってもよい。
【００２２】
１つの実施形態では、ストリップは、前記少なくとも１つの茎部の軸に沿って測定される０．１ｍｍ未満であってもよい厚さを有し、他の実施形態では、０．０３ｍｍ以上０．０９ｍｍ以下である。
【００２３】
特定の実施形態では、少なくとも１つの茎部において少なくとも先端部分は円錐形である。他の実施形態では、前記少なくとも１つの茎部は、１つの第１の円錐形下部及び少なくとも１つの第２の円錐形上部を含み、特に、第２の円錐形上部は円錐形先端部であって、その円錐度（上半角によって画定される）は第１の部分の円錐度より大きく、具体的には３°以上２０°以下である。この円錐度を少なくとも２倍したものが、滑り止め効果において特に効率的な挙動を示す。
【００２４】
本発明の他の発展によると、少なくとも１つの茎部は、１つの第１の直線状円筒形（円柱形）下部及び少なくとも１つの第２の円錐形上部を含み、第２の円錐形上部は特に円錐形先端部であって、その円錐度（上半角によって画定される）は、３°以上２０°以下であってもよい。
【００２５】
本発明の他の実施形態によると、少なくとも１つの茎部は、特に球形であって、特に、０．０２５ｍｍ以上０．０８０ｍｍ以下、又は０．０３３ｍｍ以上０．０５４ｍｍ以下の曲率半径を有するドーム形状の自由端を有してもよい。
【００２６】
いくつかの実施形態では、前記少なくとも１つの茎部の軸は、ストリップの平面に対して、７０°以上１１０°以下に含まれる角度で傾斜し、他の実施形態では、この角度は、実質的に９０°に等しい。
【００２７】
特定の実施形態では、前記少なくとも１つの茎部の外表面の少なくとも一部分、特に前記少なくとも１つの茎部の頂部は、ＩＳＯ規格（皺のＲａ又は平均偏差、即ち、基準長さの輪郭における全Ｙ座標の算術平均）に準拠して測定される４００ｎｍ未満である皺を含む。他の実施形態では、皺は、３００ｎｍ未満、又は２５０ｎｍ未満であってもよい。
【００２８】
他の実施形態では、前記少なくとも１つの茎部の外表面の少なくとも一部分、特に前記少なくとも１つの茎部の頂部は、４５０ｎｍ未満の統計的な皺（Ｒｍｓ）を有する。他の実施形態では、統計的な皺は、３５０ｎｍ未満又は２７５ｎｍ未満であってもよい。
【００２９】
皺又は統計的な皺が上述した範囲内にあることで、布地において特に精巧であり、それ故、肌着を損傷することのない、本発明による茎部を備えるウェブを含む吸収性物品が提供される。
【００３０】
特定の実施形態では、茎部を備えるウェブは、１を超える茎部を含み、該１を超える茎部は、横列状、円状、幾何学的形状に配列されるか、ベースストリップの表面にわたって不規則に配置されることが可能である。いくつかの実施形態では、茎部は、ベースストリップの表面において１つのみ又は複数の部分を占めることができ、ベースストリップの表面において茎部を含まない他の部分を残す。特に、茎部を備えたウェブはリボン状であってもよく、ここで茎部は、リボンの最長寸法に対して平行に並んで配列される。いくつかの場合において、平行に配列される茎部を備える領域は、茎部が存在しない領域と交互であってもよい。
【００３１】
いくつかの実施形態では、茎部は、茎部を備えるウェブの表面の１つ以上の部分にわたって、その部分内で１茎部／ｃｍ２以上５００茎部／ｃｍ２以下の密度で分布してもよい。他の実施形態では、密度は１０以上３００茎部／ｃｍ２以下又は２０以上２００茎部／ｃｍ２以下であってもよい。
【００３２】
特定の実施形態では、従来の感圧性接着剤は、茎部を備えるウェブ上の茎部内及び／又は茎部を含まない領域にわたって適用されることが可能である。こうすることで、従来の糊の効果と茎部を備えるウェブの効果とを組み合わせ、使用する糊の量を削減しながら物品を所定の位置に留める力を更に改善できる。
【００３３】
本発明の実施形態は、単に例示を目的として図面を参照して記載されており、ここでは、茎部を含む物品の部分のみが示される。
【００３４】
図１は、長手方向（つまり、ストリップが機械から製造される方向）に茎部を備えるウェブの断面図を示し、熱可塑性材料、例えば、ポリエチレン、ポリプロピレン又は同等のもののようなポリオレフィンのストリップ又はベース１を含み、同じ材料からなる茎部２がそこから突出しており、ストリップ１の一部を形成している。茎部２は、先端における半角が約３°である（この部分は直線であることもできる）低円錐度である下部、及び先端における半角が１５°である円錐上部を有する。例えば、３°以上２０°以下であることも可能である。茎部は、横列状及び縦列状に配列される。横列の間隔、つまり横列に連続する２つの茎部の間の距離は、好ましくは縦列の間隔よりも狭いことが可能である。具体的には、横列は、湾曲が制限されたシヌソイドとして延伸することは可能であり、それによって、特定の用途において茎部を布地に効率よく組み込むことが可能となる。
【００３５】
特定の実施形態では、茎部の高さは０．３００以上０．８００ｍｍ以下又は０．４００以上０．６００ｍｍ以下であってもよい。
【００３６】
ベースにおける茎部の幅は０．１００以上０．２００ｍｍ以下であってもよく、縦方向（ストリップが展開する方向及び延伸が行われる方向）に沿って測定される場合、又は横方向（ＣＤ方向）に沿って測定される場合は異なっていてもよく、いくつかの実施形態では、実際に、茎部の断面図は僅かに楕円形であってもよい。
【００３７】
いくつかの実施形態では、ベースにおける茎部の高さの幅に対する比は、２を超えてもよい。他の実施形態では、その比は、３又は４以上であってもよい。
【００３８】
茎部を除いたストリップの厚さは、０．０２ｍｍ以上０．１５ｍｍ以下であり、又は他の実施形態では、０．０３ｍｍ以上０．０９ｍｍ以下である。
【００３９】
このような微細な茎部を備えるウェブは、本明細書に記載の装置及び方法を使用して得ることが可能である。茎部を備えるウェブを製造する装置は、当該技術において既知である。従来技術によると、望ましい茎部を得るために茎部と相互補完的な形状の空洞を含む成型ローラーが提供される。熱可塑性材料は、空洞に導入するために液体又は溶解した状態でローラーの表面を通過し、冷却後、装置から離すことで、空洞と相互補完的な形状の茎部を有するウェブが得られる。従来技術の方法では、空洞は、ゴムのような柔軟な材料においてレーザーエッチングを行うことで形成される。これらの方法及び装置は、以下の欠点を有する。成型を通して茎部を形成するため、特に、空洞で形成した後に空洞からこれらの茎部を取り出す必要があるために、微細であって高さが大きい茎部を備えたウェブを得ることが難しい可能性がある。これは、特に、円錐形の茎部において当てはまる。
【００４０】
実質的に全ての高さが同じである茎部を得ることも難しい。最終的に、ゴムにおけるレーザーエッチングに関連する製造上の許容誤差によって、少なくとも一方向において互いに近接する茎部を備えるウェブを得ることは非常に難しい。
【００４１】
本発明による茎部を備えるウェブを製造するために、新規かつ改善された装置及び方法が本明細書中で使用される。装置は成形ローラーを含み、ここで茎部の形状と相互補完的な形状である空洞が形成され、成形ローラーは、特に層状である開放孔を備える多孔性材料から少なくとも部分的に作られ、そのため、空気分子は通過することができるが、熱可塑性材料の分子は通過できないような孔隙率が選択され、多孔性材料の一部が、少なくとも部分的に、特にそのベースにおいて空洞の境界を定めるように配置されることを特徴とする。
【００４２】
成型装置において、このように構成を改善することによって、既知の装置において、熱可塑性材料によって空洞のベースに追い込まれた空気は、多孔性材料を通って放出されるようになる。これによって、熱可塑性材料が金型のベースに到達し、微細かつ高さが大きい茎部を同時に得ることが可能となる。
【００４３】
成形ローラーは、第１材料中に少なくとも１つの上層及び第２材料中に１つの下層を含んでもよく、そのため、第１材料は、空洞化又は機械加工されることが可能であり、第２材料は多孔性材料であり、空洞は、第２材料とぴったりと重なり、ベースの少なくとも一部分を形成するまで第１材料を空洞化又は機械加工して形成される。
【００４４】
下層は、ローラー自体（第１材料中の上層を除く）からなっていてもよく、例えば、多孔質セラミックから作られることが可能であるローラーのハブからなっていてもよい。
【００４５】
したがって、熱可塑性材料を空洞に導入することで茎部を備えるウェブが形成され、特に、材料が空洞に流入するときの流動性指数が、９以上１５０ｇ／１０分以下である場合、この材料の流速は、追い込まれた空気が多孔性材料を通って逃げることができるために減速しない。結果として、溶解した又は液体の熱可塑性材料は、微細な空洞及び／又は非常に深い空洞であっても、空洞のベースまで到達し、抜き取った後に得られる茎部は、空洞の高さから深さまでがほぼ等しい寸法を有する。
【００４６】
機械加工又は空洞化はレーザーエッチングによってなされてもよく、下層の外表面は、レーザー光における停止表面として機能し、例えば均等屈折ファインダーを備え、ここでは、第２材料の表面に到達する際に、レーザー光は非活性化される（反射によって非常に多くのエネルギーを受ける）。
【００４７】
孔隙率は、孔が、５０マイクロメートル未満の等価直径（孔の断面と等しい円形断面の直径）を有するように選択される。
【００４８】
空洞は、特にプラスチック材料の層を微細孔抜きするか、又は特に金属材料の層を電気侵食するかによる、材料の機械加工によって成形される。
【００４９】
多孔性材料の使用と電気侵食又は微細孔抜きによる機械加工とを組み合わせることで、特に細かく非常に高く、再現性も高い茎部を得ることが可能となり、それのため、茎部の最終的な高さは、ほぼ正確に空隙の高さに相当するものとなる。
【００５０】
更に、空洞の形状を、自由に選択することが可能である。具体的には、１つの円柱形下部と少なくとも１つの円錐形状の上部を有するだけでなく、同時に、微細であって高さが大きい茎部を得ることが可能となる。
【００５１】
茎部を備えるウェブを形成するデバイスは、成形ローラーを離れる際に第１の厚さ、第１の長さ及び第１の幅を有し、長さ方向（機械方向）において交互に配置される上流側ローラー及び下流側ローラーを含み、この下流側ローラーは、上流側ローラーよりも高い回転速度を有し、２つのローラー間の距離は、成形デバイスから離れる際に、ウェブが第１の厚さよりも薄い第２の厚さ、及び第１の長さよりも長い第２の長さを有するように狭い。更に、第１の幅と実質的に同じ幅を有する。
【００５２】
このデバイスによって、非常に薄いベースと組み合わせて、高さが大きい微細な茎部が得られる。１つの実施形態では、下流側ローラーは低温、つまり、延伸された熱可塑性材料の軟化温度よりも低い温度（例えば２５℃）であってもよく、上流側ローラーは高温、つまり、ウェブの熱可塑性材料の軟化温度（ビカット点）以上である温度であってもよい。
【００５３】
したがって、低温である下流側ローラーの後、長さに沿った幅の変化が小さいか、全く、変化がないストリップを得ることが可能である。したがって、最終的なストリップの幅のばらつきは、従来技術に比べて明らかに改善している。
【００５４】
ローラー間の距離は、好ましくは、茎部を備えるウェブの全厚の約１倍と等しく、即ち、典型的には０．５ｍｍ以上１０ｍｍ以下、例えば０．７ｍｍ以上３ｍｍ以下である。
【００５５】
茎部を備えるウェブは、延伸前に、茎部と対向するストリップの側面上で加熱を受けてもよい。
【００５６】
図３は、本発明による物品に使用されることが可能な茎部を備えるウェブ用の製造装置を示す。液体又は溶解した熱可塑性材料は、円筒形／円錐形（cylindrical conical form）の形状であって、装置から離れる際に望ましい茎部を得るために、茎部の形状（図１及び２のような形状）と相互補完的である空洞１１を含む成型ローラー１０に注入される。材料は、後方ローラーと、溶解した材料を過度に空洞に押し付ける圧力ローラーとの間にある成型ローラーの周りを通る。加圧から取り除き、場合によって付属の冷却デバイスによって冷却した後、２つのローラー間の隙間に実質的に相当する厚さのストリップ及びほぼ正確に空洞の形状に相当する形状を有する茎部とを備えるウェブが得られる。
【００５７】
ローラーを離れる際、１方向（特に機械方向又はウェブの展開方向）において茎部を備えるウェブを延伸するためにも提供され、それによって、これはいわゆる「短」延伸に従う。
【００５８】
したがって、成型ローラーを離れる際、茎部を備えるウェブは、いわゆる上流側ローラーである第１ローラー３０と、いわゆる下流側ローラーである第２ローラー４０との間を通って形成される。下流側ローラーは、上流側ローラーよりも高い回転速度に設定され、その結果、ウェブは長手方向に延伸される。「短」延伸は、２つのローラーの間の距離ｄが狭く、本質的に茎部を備えるウェブの初期全厚に相当することを意味することを目的とする。
【００５９】
加熱装置５０は、上流側ローラー３０の上流に配置され、延伸を促進するために、展開されたウェブの裏面を予熱する。
【００６０】
第１ローラーの速度は、第２ローラーの速度の２以上４倍以下を超える。具体的には、１以上２５メートル／分以下であることができる。上流側ローラー３０は、熱可塑性材料の軟化温度（ビカット点）以上の温度まで加熱され、下流側ローラー４０は冷却されている（つまりは、軟化温度未満である）。
【００６１】
したがって、特に柔軟性のあるストリップが得られ、茎部を備えて、完璧に布地と協働し、滑り止め機能を確実なものとする。更に、得られたストリップの長さに加えて、幅のばらつきは、非常に小さいものであり、ゼロに等しい。
【００６２】
成型ローラー１０が、図４において断面図で示される。ローラーは、レーザーでエッチングすることが可能な材料、特にゴム、特に熱硬化可能な材料、又は微細孔抜けすることが可能な材料、特にプラスチック材料、又は特に電気侵食することが可能な材料、例えば金属からなる外環層２０を含む。次に、表面及び空洞を、特にシリコーンニスによってノンスティック処理することができる。この層は下層２１と接触しており、環状でもあり、レーザーエッチングに耐えるのに十分強固である、例えば、ステンレス鋼又は銅のような材料からなっている。しかしながら、この材料は、空気を透過し、一般的な熱可塑性材料を透過しないように実現されているため、この材料は、０．０５０ｍｍ未満の直径の開放孔を備えるいわゆる微多孔性材料である。この種類の材料としては、例えば、ＧＫＮメタルズフィルターズ社（GKN Metals Filters）から基準シームレスフィルター（Seamless Filter）チューブ３１６Ｌとして入手可能な多孔性ステンレス鋼ＳＩＫＡ−Ｒ  １００  ＩＳがある。
【００６３】
したがって、成型ローラーを製造する際、下層まで到達し、そこでエッチングが「終了」するまで、レーザーによって外層の材料をエッチングすることによって、空洞が形成される。したがって、下層は空洞のベースを形成し、熱可塑性材料が空洞に押し込まれる際、微細な円錐形の空洞である場合であっても、空気が多孔性材料の孔によって取り除かれるため、ベースに蓄積された空気によって、材料がベースに到達することが妨げられない。したがって、微細な円錐形の茎部を得ることができる。
【００６４】
茎部を備えるウェブは、当業者に可能な任意の方法で従来の使い捨て吸収性物品に組み込むことが可能である。例えば、１つの実施形態では、使い捨て吸収性物品における実質的に全てのバックシートは、茎部を備えるウェブによってカバーされるか置き換えられる。あるいは、バックシートの外層が繊維ウェブである場合、茎部を備えるウェブは、外層の下にある吸収性物品の内部に、外層の外に突出する茎部を備えて載置される。
【００６５】
他の代表的な実施形態では、図５にいくつかの実施形態が示され、本発明の茎部（６０）を備えるウェブにおける多くの分離された部分は、吸収性物品（９０）のバックシート（７０）上又は周辺部（８０）に沿って適用されることが可能である。茎部を備えるウェブのこれらの部分は、接着積層、超音波溶接、熱結合などのような任意の現状において既知の技術を使用して、バックシートに適用されることが可能である。図５Ａに示される１つの実施例では、リボンの形状を有する茎部（６０）を備えるウェブの２つの部分は、吸収性物品（９０）の長手方向（ｌ）に実質的に平行な方向に沿って、物品のバックシート（７０）に適用されることが可能である。図５Ｂに示される他の実施例では、リボン状の茎部（６０）を備えるウェブのいくつかの部分は、長手方向（ｌ）に垂直な方向に沿って適用されることが可能である。図５Ｃ及び５Ｄに示される第３及び第４の実施例では、茎部（６０）を備えるウェブの部分は、物品（９０）の周辺部（８０）に沿って、境界の外側に適用される。図５Ｅに示される第５の実施例では、湾曲した形状に裁断された茎部（６０）を備えるウェブの２つの部分は、物品（９０）のバックシート（７０）の長手方向に対向する２つの部分に適用される。図５Ｆに示される第６の実施例では、Ｖ型及び直線状の茎部（６０）を備えるウェブの部分が組み合わされる。無論、本出願の教示に従って、当業者によって本発明による茎部を備えるウェブを含む多くの他の吸収性物品が提供されることが可能である。
【００６６】
本明細書に開示される寸法及び値は、列挙された正確な数値に厳しく限定されるものとして理解されるべきではない。それよりむしろ、特に規定がない限り、こうした各寸法は、列挙された値とその値周辺の機能的に同等の範囲との両方を意味することを意図されている。例えば、「４０ｍｍ」として開示された寸法は、「約４０ｍｍ」を意味すると意図される。
【図１】
2010533026.tif 000003
【図２】
2010533026.tif 000004
【図３】
2010533026.tif 000005
【図４】
2010533026.tif 000006
【図５Ａ】
2010533026.tif 000007
【図５Ｂ】
2010533026.tif 000008
【図５Ｃ】
2010533026.tif 000009
【図５Ｄ】
2010533026.tif 000010
【図５Ｅ】
2010533026.tif 000011
【図５Ｆ】
2010533026.tif 000012
【国際調査報告】
2010533026.tif 000013
2010533026.tif 000014
2010533026.tif 000015